(57)【要約】【課題】使用終了時にユーザーの都合や状況等に応じて冷却時間を定めることが可能なプロジェクター及びその制御方法を提供する。【解決手段】光源１１から射出された光を変調して投写するプロジェクター１において、動作を終了させる操作を受け付けた後、第２の時間（Ｔ２）内に所定の操作を受け付けた場合は第３の時間（Ｔ３）、所定の操作をしなかった場合、第１の時間（Ｔ１）だけ冷却部３３を動作させた後停止させることが可能になる。このため、第３の時間（Ｔ３）を第１の時間（Ｔ１）より十分長くすることで、プロジェクター１の温度をより低下させることが可能となる。また、第１の時間（Ｔ１）が非常に短い場合でも第２の時間（Ｔ２）を第１の時間（Ｔ１）より長くしておくことにより、冷却部３３の動作が停止した後でも再度冷却動作を第３の時間（Ｔ３）追加することができユーザーの利便性が向上する。【選択図】図４
2011145502.tif 000002
【特許請求の範囲】
【請求項１】
光源から射出された光を変調して投写する画像投写部と、
前記画像投写部を冷却する冷却部と、
前記冷却部の動作を制御する冷却制御部と、
入力操作を受け付ける入力操作部と、
前記入力操作部が動作を終了させる操作を受け付けた場合に、前記光源を消灯させるとともに、前記冷却制御部に前記冷却部を第１の時間動作させた後停止させる制御部とを備え、
前記制御部は、前記入力操作部が動作を終了させる操作を受け付けてから、第２の時間内に前記入力操作部が所定の冷却操作を受け付けた場合に前記冷却制御部に前記冷却部を第３の時間動作させた後、停止させることを特徴とするプロジェクター。
【請求項２】
請求項１に記載のプロジェクターであって、
前記制御部は前記第３の時間、前記冷却制御部に前記冷却部を前記光源の点灯時より高い冷却レベルで動作させることを特徴とする、プロジェクター。
【請求項３】
請求項１又は請求項２に記載のプロジェクターであって、
前記冷却制御部が前記冷却部を動作させる時間を記憶する記憶部と、
前記光源周辺の温度を検出する温度検出部をさらに備え、
前記制御部は前記第３の時間内に前記温度検出部が検出した温度が前記記憶部に記憶された所定の温度以下になったときに前記冷却制御部に前記冷却部の動作を停止させることを特徴とするプロジェクター。
【請求項４】
請求項３に記載のプロジェクターであって、
前記制御部は前記第３の時間内に前記入力操作部が冷却停止操作を受け付けた場合に、その時点での前記温度検出部の検出温度を冷却終了温度として保存するとともに前記冷却制御部に前記冷却部の動作を停止させることを特徴とするプロジェクター。
【請求項５】
請求項３又は請求項４に記載のプロジェクターであって、
前記第３の時間内に前記温度検出部が検出した温度レベルを報知する報知部を備えたことを特徴とするプロジェクター。
【請求項６】
請求項１又は請求項２に記載のプロジェクターであって、
前記冷却制御部が前記冷却部を動作させる時間を記憶する記憶部をさらに備え、
前記制御部は前記第３の時間内に前記入力操作部が冷却停止操作を受け付けた場合に、前記動作を終了させる操作を受け付けてから、前記冷却停止操作を受け付けるまでの時間を第３の時間として前記記憶部に記憶することを特徴とするプロジェクター。
【請求項７】
光源から射出された光を変調して投写する画像投写部と、前記画像投写部を冷却する冷却部と、前記冷却部の動作を制御する冷却制御部と、入力操作を受け付ける入力操作部と、を備えたプロジェクターの制御方法であって、
前記入力操作部が動作を終了させる操作を受け付けた場合に、前記光源を消灯させるとともに、前記冷却制御部に前記冷却部を第１の時間動作させた後停止させるステップと、
前記入力操作部が動作を終了させる操作を受け付けてから、第２の時間内に前記入力操作部が所定の冷却操作を受け付けた場合に前記冷却制御部に前記冷却部を第３の時間動作させた後、停止させるステップと、
前記第３の時間内に前記入力操作部が所定の冷却停止操作を受け付けた場合に、前記冷却部の動作を停止させるとともに、前記第２の時間経過後にスタンバイ状態に移行させるステップと、を備えたことを特徴とするプロジェクターの制御方法。
【請求項８】
請求項７に記載のプロジェクターの制御方法であって、
前記冷却制御部が前記冷却部を動作させる時間を記憶する記憶部をさらに備え、
前記第３の時間内に前記入力操作部が所定の冷却停止操作を受け付けた場合に、前記動作を終了させる操作を受け付けてから、前記冷却停止操作を受け付けるまでの時間を第３の時間として前記記憶部に記憶するステップを備えたことを特徴とするプロジェクターの制御方法。
【発明の詳細な説明】
【技術分野】
【０００１】
本発明は、画像を投写するプロジェクターおよびプロジェクターの制御方法に関する。
【背景技術】
【０００２】
光源から射出された光を変調して画像を形成し、この画像をスクリーン等に投写するプロジェクターの多くは、光源の点灯等に伴って高温となる筐体の内部を冷却するための冷却装置（冷却ファン等）を備えている。この冷却装置は、光源を消灯させた後もしばらくの間冷却を継続するようになっており、高温のまま放置された場合に生じ得る各種構成部品の劣化を抑制している（特許文献１参照）。なお、光源が消灯した後の冷却は、「クールダウン」等と呼ばれる。
【０００３】
近年、プロジェクターの各種構成部品の耐久性（耐熱性）を向上させること等により、クールダウンを省略したり、クールダウンに要する時間を短縮させたりしたプロジェクターが注目されている。このようなプロジェクターを用いれば、使用後すぐに電源を遮断して片付けることが可能となるため、ユーザーの利便性が向上する。
【先行技術文献】
【特許文献】
【０００４】
【特許文献１】特開２００５−１７５８３号公報
【発明の概要】
【発明が解決しようとする課題】
【０００５】
しかしながら、クールダウンを省略したり、クールダウンの時間を短縮させたりしたプロジェクターでは、使用中に高温となった筐体の一部が、使用後においても比較的高温のままになっている場合があり、筐体に触れてしまったユーザーに不快感を与えてしまう恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を変調して投写する画像投写部と、前記画像投写部を冷却する冷却部と、前記冷却部の動作を制御する冷却制御部と、入力操作を受け付ける入力操作部と、前記入力操作部が動作を終了させる操作を受け付けた場合に、前記光源を消灯させるとともに、前記冷却制御部に前記冷却部を第１の時間動作させた後停止させる制御部とを備え、前記制御部は、前記入力操作部が動作を終了させる操作を受け付けてから、第２の時間内に前記入力操作部が所定の冷却操作を受け付けた場合に前記冷却制御部に前記冷却部を第３の時間動作させた後、停止させることを特徴とする。
【０００８】
本適用例によれば、終了操作を受け付けた後、所定時間内に所定の冷却操作をすることによって冷却部の冷却時間を通常の終了操作と変えることができるので、プロジェクターを十分に冷却させたいユーザーは終了操作を行ってから所定時間内に所定の冷却操作を行えばよいし、プロジェクターをすぐに片付けたいユーザーは終了操作の後、操作を行わずに冷却部が動作を停止するまで待てばよい。つまりプロジェクターの使用を終了する際にユーザーの都合や状況等に応じて冷却時間を選択することによって、プロジェクターが持ち運びできるまで冷え切らないまま触ってしまったり、必要以上にクールダウン終了まで待たされることがなくなるのでユーザーが不快感を生じない。
【０００９】
［適用例２］上記適用例に記載のプロジェクターにおいて、前記制御部は前記第３の時間、前記冷却制御部に前記冷却部を前記光源の点灯時より高い冷却レベルで動作させることが好ましい。
【００１０】
本適用例によれば、第３の期間、通常点灯時よりも高い冷却レベルで光源を冷却できるので、より効果的に短い時間で冷却が可能となる。
【００１１】
［適用例３］上記適用例に記載のプロジェクターにおいて、前記冷却制御部が前記冷却部を動作させる時間を記憶する記憶部と、前記光源周辺の温度を検出する温度検出部をさらに備え、前記制御部は前記第３の時間内に前記温度検出部が検出した温度が前記記憶部に記憶された所定の温度以下になったときに前記冷却制御部に前記冷却部の動作を停止させることが好ましい。
【００１２】
本適用例によれば、あらかじめ設定した冷却終了温度に達した時点で冷却動作が終了するため、プロジェクターを必要以上に冷却することがなくなり、冷却時間を短縮することが可能になる。
【００１３】
［適用例４］上記適用例に記載のプロジェクターにおいて、前記制御部は前記第３の時間内に前記入力操作部が冷却停止操作を受け付けた場合に、その時点での前記温度検出部の検出温度を冷却終了温度として保存するとともに前記冷却制御部に前記冷却部の動作を停止させることが好ましい。
【００１４】
本適用例によれば、冷却を終了する温度をユーザーが任意に変更・保存できるので、使用環境、ユーザーの好みに応じた安全な冷却終了にすることが可能となる。
【００１５】
［適用例５］上記適用例に記載のプロジェクターにおいて、前記第３の時間内に前記温度検出部が検出した温度レベルを報知する報知部を更に備えることが好ましい。
【００１６】
本適用例によれば、プロジェクターの冷却状態をユーザーが安全に確認できるので、冷却を終了させるタイミングをユーザーが決める目安がわかりやすくなる。
【００１７】
［適用例６］上記適用例に記載のプロジェクターにおいて、前記冷却制御部が前記冷却部を動作させる時間を記憶する記憶部をさらに備え、前記制御部は前記第３の時間内に前記入力操作部が冷却停止操作を受け付けた場合に、前記動作を終了させる操作を受け付けてから、前記冷却停止操作を受け付けるまでの時間を第３の時間として前記記憶部に記憶することが好ましい。
【００１８】
本適用例によれば、前記第３の期間をユーザーの操作によって変更・保存できるので、使用環境に合わせてあらかじめ冷却期間を設定することが可能となる。
【００１９】
［適用例７］本適用例に係るプロジェクターの制御方法は、光源から射出された光を変調して投写する画像投写部と、前記画像投写部を冷却する冷却部と、前記冷却部の動作を制御する冷却制御部と、入力操作を受け付ける入力操作部と、を備えたプロジェクターの制御方法であって、前記入力操作部が動作を終了させる操作を受け付けた場合に、前記光源を消灯させるとともに、前記冷却制御部に前記冷却部を第１の時間動作させた後停止させるステップと、前記入力操作部が動作を終了させる操作を受け付けてから、第２の時間内に前記入力操作部が所定の冷却操作を受け付けた場合に前記冷却制御部に前記冷却部を第３の時間動作させた後、停止させるステップと、前記第３の時間内に前記入力操作部が所定の冷却停止操作を受け付けた場合に、前記冷却部の動作を停止させるとともに、前記第２の時間経過後にスタンバイ状態に移行させるステップと、を備えたことを特徴とする。
【００２０】
本適用例によれば、終了操作を受け付けた後、所定時間内に所定の冷却操作をすることによって冷却部の冷却時間を通常の終了操作と変えることができるので、プロジェクターを十分に冷却させたいユーザーは終了操作を行ってから所定時間内に所定の操作冷却を行えばよいし、プロジェクターをすぐに片付けたいユーザーは終了操作の後、操作を行わずに冷却部が動作を停止するまで待てばよい。また、冷却部の動作が停止した後、再度冷却動作を追加し再度冷却動作を開始させた場合でも再度冷却操作された場合には冷却部を停止させプロジェクターを所定の時間経過後にスタンバイ状態に移行させることも可能になる。つまりプロジェクターの使用を終了する際にユーザーの都合や状況等に応じて冷却時間を選択することが可能となる。
【００２１】
［適用例８］上記適用例に係るプロジェクターの制御方法は、前記冷却制御部が前記冷却部を動作させる時間を記憶する記憶部をさらに備え、前記第３の時間内に前記入力操作部が所定の冷却停止操作を受け付けた場合に、前記動作を終了させる操作を受け付けてから、前記冷却停止操作を受け付けるまでの時間を第３の時間として前記記憶部に記憶するステップをさらに備えることが好ましい。
【００２２】
本適用例によれば、前記第３の期間をユーザーの操作によって変更・保存できるので、使用環境に合わせてあらかじめ冷却期間を設定することが可能となる。
【図面の簡単な説明】
【００２３】
【図１】プロジェクターを示す斜視図であり、前面、上面、及び右側面を示す図。
【図２】プロジェクターを示す斜視図であり、背面、底面、及び右側面を示す図。
【図３】プロジェクターの回路構成を示すブロック図。
【図４】実施形態１のオフ操作時のプロジェクターの動作を説明するためのフローチャート。
【図５】変形例２のオフ操作時のプロジェクターの動作を説明するためのフローチャート。
【図６】変形例４のオフ操作時のプロジェクターの動作を説明するためのフローチャート。
【発明を実施するための形態】
【００２４】
以下、光源から射出された光を変調して、外部から入力される画像情報に基づく画像（以降、「入力画像」という。）を形成し、この画像をスクリーン等に投写するプロジェクターについて説明する。
【００２５】
（第１実施形態）
図１及び図２は、本実施形態のプロジェクターを示す斜視図であり、図１は、前面、上面、及び右側面を示す図、図２は、背面、底面、及び右側面を示す図である。
図１及び図２に示すように、プロジェクター１は、装置本体が筐体２に収容された構成を有しており、筐体２の前面２ｆには、画像を投写する投写レンズ１３が露出している。筐体２の上面２ｔには、ユーザーがプロジェクター１に対して各種指示を行うための入力操作部２２が備えられ、入力操作部２２の近傍には、プロジェクター１の動作状態を報知するためのＬＥＤ報知部２３が備えられている。筐体２の背面２ｒには、商用電源が供給される電源端子２８と、図示しない外部の画像出力装置から画像情報が入力される画像情報入力部２４とが設けられている。画像情報入力部２４には、複数の入力端子２４ａが配置されており、各入力端子２４ａには、一端が画像出力装置に接続されたケーブルの他端が接続される。
【００２６】
プロジェクター１は、筐体２の内部に冷却部３３（図３参照）を備えており、光源の点灯等に伴って高温となる筐体２の内部を冷却することができる。筐体２の底面２ｂには、外部から空気を吸入するための吸気口３ａが形成されており、冷却部３３の動作によって吸気口３ａから吸入された空気は、筐体２の内部を冷却した後、筐体２の右側面２ｓに形成された排気口３ｂから排出される。
【００２７】
図３は、プロジェクターの回路構成を示すブロック図である。
図３に示すように、プロジェクター１は、画像投写部１０、制御部２０、記憶部２１、入力操作部２２、ＬＥＤ報知部２３、画像情報入力部２４、入力選択部２５、画像処理部２６、ＯＳＤ処理部２７、電源端子２８、電源部２９、光源制御部３０、温度検出部３１、冷却制御部３２、冷却部３３等を備えて構成されており、これらは、筐体２（図１及び図２参照）の内部に収容されている。
【００２８】
画像投写部１０は、光源１１、光変調装置としての３つの液晶ライトバルブ１２Ｒ，１２Ｇ，１２Ｂ、投写光学系としての投写レンズ１３、液晶駆動部１４等を含んでいる。画像投写部１０は、表示部に相当するものであり、光源１１から射出された光を、液晶ライトバルブ１２Ｒ，１２Ｇ，１２Ｂで変調して画像を形成し、この画像を投写レンズ１３から投写して投写面Ｓに表示する。
【００２９】
光源１１は、超高圧水銀ランプやメタルハライドランプ等からなる放電型の光源ランプ１１ａ、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。なお、光源１１はＬＥＤ、レーザー等からなる光源を利用することも可能である。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３から拡大投写される。
【００３１】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００３２】
記憶部２１は、マスクＲＯＭ（Read Only Memory）や、フラッシュメモリー、ＦｅＲＡＭ（Ferroelectric RAM：強誘電体メモリー）等の不揮発性のメモリーにより構成されている。記憶部２１には、プロジェクター１の動作を制御するための制御プログラムや、プロジェクター１の動作条件等を規定する各種設定データ等が記憶されている。
【００３３】
入力操作部２２は、ユーザーからの入力操作を受け付けるものであり、ユーザーがプロジェクター１に対して各種指示を行うための複数の操作キーを備えている。入力操作部２２が備える操作キーとしては、電源のオン・オフを切り替えるための電源キー２２ａ、有効な入力端子２４ａを切り替えるための入力切替キー２２ｂ、冷却動作を開始・停止させるための冷却キー２２ｃ等がある。ユーザーが入力操作部２２の各種操作キーを操作（押下）すると、入力操作部２２は、この入力操作を受け付けて、ユーザーの操作内容に応じた操作信号を制御部２０に出力する。なお、入力操作部２２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部２０に伝達する。
【００３４】
ＬＥＤ報知部２３は、ＬＥＤ（発光ダイオード）を備えたインジケーターであり、制御部２０の指示に基づいてその表示状態を切り替えることにより、ユーザーにプロジェクター１の動作状態（電源のオン・オフや異常発生等）を報知する。なお、ＬＥＤ報知部２３は、その表示状態、即ち点灯、点滅、消灯、発光色等を適宜切り替えることによって、多数の動作状態を表すことが可能になっている。
【００３５】
画像情報入力部２４は、上述したように複数の入力端子２４ａを備えており、各入力端子２４ａには、ビデオ再生装置やパーソナルコンピューター等、外部の画像出力装置から、図示しないケーブルを介して画像情報が入力される。各入力端子２４ａに入力された画像情報は、入力選択部２５に供給される。
【００３６】
入力選択部２５は、複数の入力端子２４ａのうち、制御部２０の指示に基づく１つの入力端子２４ａを選択し、この入力端子２４ａに入力される画像情報を画像処理部２６に出力する。ユーザーが、入力操作部２２に備わる入力切替キー２２ｂを操作して所望の入力端子２４ａを指定すると、制御部２０は、この入力端子２４ａに入力される画像情報が画像処理部２６に出力されるよう、入力選択部２５に指示をする。
【００３７】
画像処理部２６は、入力選択部２５から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３８】
液晶駆動部１４が、ＯＳＤ処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３９】
電源部２９には、電源端子２８を介してＡＣ１００Ｖ等の商用電源が外部から供給される。電源部２９は、商用電源（交流電源）を所定の電圧の直流電源に変換し、光源制御部３０を始めとするプロジェクター１の各部に電力を供給する。また、電源部２９は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４０】
光源制御部３０は、電源部２９で生成された直流電流を交流矩形波電流に変換するインバーター（図示せず）や、光源ランプ１１ａの電極間の絶縁破壊を行って、光源ランプ１１ａの始動を促すためのイグナイター（図示せず）等を備えており、制御部２０の指示に基づいて光源１１の点灯を制御する。具体的には、光源制御部３０は、光源１１を始動させて所定の電力を供給することにより光源１１を点灯させるとともに、電力の供給を停止して光源１１を消灯させることができる。
【００４１】
温度検出部３１は、サーミスター等で構成され、筐体２の内部の温度を検出し、検出結果を冷却制御部３２に出力する。この温度検出部３１は、光源１１、液晶ライトバルブ１２Ｒ，１２Ｇ，１２Ｂ、電源部２９等のように、熱を発する部位や熱によるダメージを受けやすい部位に配置される。
【００４２】
冷却制御部３２は、制御部２０の指示に基づいて、冷却部３３の動作、及びその停止を制御するとともに、制御部２０の指示と温度検出部３１の検出結果とに基づいて冷却部３３の動作レベル（冷却レベル）を制御する。本実施形態の冷却制御部３２は、冷却部３３の冷却レベルを複数段階に切り替え可能になっている。そして、冷却制御部３２は、筐体の内部温度が高温であるほど、冷却部３３の冷却レベルを高くして温度上昇を抑制し、内部温度が低い場合には、冷却部の動作に伴う騒音と電力消費とを抑制すべく冷却部の冷却レベルを低下させる。
【００４３】
冷却部３３は、光源１１の点灯等に伴って高温となる筐体２内部および光源１１および光源周辺を冷却するために設けられ、プロジェクター１を冷却する機能を有する。本実施形態においては、冷却部３３は軸流ファンやシロッコファン等の冷却ファンによって構成される。しかし冷却部３３としては、冷却ファンに代わる同様の冷却能力を有するものであればよく、ベルチェ素子等の冷却素子、冷却パイプ等から構成することもできる。冷却部３３の冷却レベルを高くするには冷却ファンの回転数を高くし、冷却レベルを低くするには冷却ファンの回転数を低くする。
なお、冷却部３３は、複数のファンなどの冷却装置によって構成されてもよく、例えば、吸気口３ａの近傍に配置されるファン（吸気ファン）と、排気口３ｂの近傍に配置されるファン（排気ファン）とを含んで構成されてもよい。同様に冷却部３３が冷却素子、冷却パイプ等から構成される場合は、冷却素子の制御、冷却パイプの冷却媒体の流量制御により、より高い冷却レベルで動作させることが可能となる。尚、冷却部３３はファン等により単独で構成しても良く、他の素子と組み合わせて使用されるものであっても良い。
【００４４】
次に、プロジェクター１の動作について説明する。
電源端子２８に電源ケーブル（図示せず）の一端が接続され、この電源ケーブルの他端に備わる電源プラグがコンセントに挿し込まれると、電源部２９に商用電源が供給される。商用電源が供給されると、電源部２９は、少なくとも制御部２０、記憶部２１、入力操作部２２、ＬＥＤ報知部２３に電力（スタンバイ電力）の供給を行い、制御部２０は、この電力供給を受けて、制御プログラムに従った動作を開始する。商用電源が供給された直後には、プロジェクター１は、スタンバイ状態（「電源オフ状態」ともいう。）であり、制御部２０は、ＬＥＤ報知部２３をオレンジ色で点灯させるとともに、入力操作部２２の電源キー２２ａに対する操作を監視する。そして、電源キー２２ａがユーザーにより操作されると、制御部２０は、電源部２９に指示をして、各部への動作電力の供給を開始させ、プロジェクター１を電源オン状態に移行させる。
【００４５】
プロジェクター１が電源オン状態に移行すると、制御部２０は、ＬＥＤ報知部２３を緑色で点灯させる。そして、制御部２０は、冷却制御部３２に指示をして、冷却部３３を始動させるとともに、温度検出部３１の検出結果に基づいて、冷却部３３の冷却レベルを制御させる。さらに、制御部２０は、光源制御部３０に指示をして光源１１を点灯させる。この結果、入力端子２４ａに入力される画像情報に基づく画像が画像投写部１０から投写される。
【００４６】
電源オン状態でユーザーにより電源キー２２ａが操作されると、制御部２０は、光源制御部３０に指示をして光源１１を消灯させた後に、冷却制御部３２に指示をして冷却部３３を第１の時間（Ｔ１）の間動作させた後、プロジェクター１をスタンバイ状態に移行させる。なお、本明細書では、スタンバイ状態でなされる電源キー２２ａの操作、即ちプロジェクター１を電源オン状態に移行させて、光源１１を点灯させるための操作を「オン操作」と呼び、電源オン状態でなされる電源キー２２ａの操作、即ち光源１１を消灯させてプロジェクター１をスタンバイ状態に移行させるための操作を「オフ操作」と呼ぶ。
【００４７】
図４は、本実施形態１のオフ操作時のプロジェクター１の動作を説明するためのフローチャートであり、電源オン状態から、オフ操作がなされてスタンバイ状態に移行するまでの動作を示している。
図４に示すように、ステップＳ１０１では、制御部２０は、電源キー２２ａの操作がなされたか否かを判断する。そして、電源キー２２ａが操作されていない場合には本ステップを繰り返し、電源キー２２ａ操作された場合にはステップＳ１０２に移行する。
【００４８】
電源キー２２ａが操作されてステップＳ１０２に移行すると、制御部２０は、光源制御部３０に指示をして、光源１１を消灯させるとともに冷却制御部３２に指示をして冷却部３３の冷却ファンを動作させる。
【００４９】
ステップＳ１０３では、制御部２０は、タイマー２０ａによる計時を開始する。
【００５０】
ステップＳ１０４では、制御部２０は、タイマー２０ａによる計時時間が第１の時間（Ｔ１）を経過したか否かを判断する。そして、タイマー２０ａが第１の時間（Ｔ１）を経過している場合はステップＳ１０７に移行し、タイマー２０ａが第１の時間（Ｔ１）を経過していない場合にはステップＳ１０５に移行する。
【００５１】
ステップＳ１０５では、制御部２０は、タイマー２０ａによる計時時間が第２の時間（Ｔ２）を経過したか否かを判断する。そして、タイマー２０ａが第２の時間（Ｔ２）を経過している場合はステップＳ１０４に移行し、タイマー２０ａが第２の時間（Ｔ２）を経過していない場合にはステップＳ１０６に移行する。
【００５２】
ステップＳ１０６では、制御部２０は、冷却キー２２ｃの操作がなされたか否かを判断する。そして、冷却キー２２ｃ（冷却停止）が操作されていない場合にはステップＳ１０４に移行し、冷却キー２２ｃ（冷却停止）が操作された場合にはステップＳ１１０に移行する。
【００５３】
ステップＳ１０７では、制御部２０は、冷却制御部３２に指示をして冷却部３３の冷却ファンの動作を停止させた後、ステップＳ１０８に移行する。
【００５４】
ステップＳ１０８では、制御部２０は、タイマー２０ａによる計時時間が第２の時間（Ｔ２）を経過したか否かを判断する。そして、タイマー２０ａが第２の時間（Ｔ２）を経過している場合はステップＳ１１４に移行し、第２の時間（Ｔ２）を経過していない場合にはステップＳ１０９に移行する。
【００５５】
ステップＳ１０９では、制御部２０は、冷却キー２２ｃの操作がなされたか否かを判断する。そして、冷却キー２２ｃ（冷却停止）が操作されていない場合にはステップＳ１０８に移行し、冷却キー２２ｃ（冷却停止）が操作された場合にはステップＳ１１０に移行する。
【００５６】
ステップＳ１１０では、制御部２０は、タイマー２０ａによる計時時間をリセットした後タイマー２０ａを再スタートさせるとともに、冷却制御部３２に指示して冷却部３３を動作させ、ステップＳ１１１に移行する。
【００５７】
ステップＳ１１１では、制御部２０は、タイマー２０ａによる計時時間が第３の時間（Ｔ３）を経過したか否かを判断する。そして、タイマー２０ａが第３の時間（Ｔ３）を経過していない場合はステップＳ１１２に移行し、タイマー２０ａが第３の時間（Ｔ３）を経過している場合にはステップＳ１１３に移行する。
【００５８】
ステップＳ１１２では、制御部２０は、冷却キー２２ｃの操作がなされたか否かを判断する。そして、冷却キー２２ｃ（冷却停止）が操作されていない場合にはステップＳ１１１に移行し、冷却キー２２ｃ（冷却停止）が操作された場合にはステップＳ１１３に移行する。
【００５９】
ステップＳ１１３では、制御部２０は、冷却制御部３２に指示をして冷却部３３の動作を停止させるとともに、タイマー２０ａによる計時時間をリセットした後タイマー２０ａを再スタートさせ、ステップＳ１０８に移行する。
【００６０】
ステップＳ１１４では、制御部２０は、ＬＥＤ報知部２３をオレンジ色で点灯させる等、他の必要な終了処理（図示せず）を行った後、電源部２９に指示をして動作電力の供給を停止させることにより、プロジェクター１をスタンバイ状態に移行させて、フローを終了する。
【００６１】
以上説明したように、本実施形態のプロジェクター１によれば、以下の効果を得ることができる。
【００６２】
本実施形態のプロジェクター１によれば、電源キー２２ａの操作を受け付けた場合、通常は光源１１を消灯させた後、冷却部３３を第１の時間（Ｔ１）動作させてスタンバイ状態に移行させるが、電源キー２２ａの操作を受け付けた後、第２の時間（Ｔ２）が経過するまでの間に冷却キー２２ｃの操作を受け付けた場合に、冷却部３３を所定の第３の時間（Ｔ３）動作させた後でスタンバイ状態に移行させることが可能になる。このため、第３の時間（Ｔ３）を第１の時間（Ｔ１）より十分長くすることで、プロジェクター１の温度をより低下させることが可能となる。また、第１の時間（Ｔ１）が非常に短い場合でも第２の時間（Ｔ２）を第１の時間（Ｔ１）より長くしておくことにより、冷却部３３の動作が停止した後でも再度冷却動作を第３の時間（Ｔ３）追加でき、再度冷却動作を開始させることができる。このため、プロジェクター１を十分に冷却させたいユーザーは、電源キー２２ａの操作を行った後、直ちに冷却キー２２ｃを操作すればよいし、プロジェクター１をすぐに片付けたいユーザーは、電源キー２２ａの操作を行った後、特段の操作をせずに冷却部３３が停止し、スタンバイに移行するのを待てばよい。また、冷却部３３の動作が停止した後、再度冷却動作を第３の時間（Ｔ３）追加し再度冷却動作を開始させた場合でも再度冷却キー２２ｃ（冷却停止）が操作された場合には冷却部３３を停止させプロジェクター１を第２の時間（Ｔ２）経過後にスタンバイ状態に移行させてもよい。つまり、プロジェクター１の使用を終了する際に、ユーザーの都合や状況等に応じて冷却時間を定めることが可能となり、利便性が向上する。
【００６３】
（変形例１）
また、上記実施形態は、以下のように変更してもよい。
【００６４】
上記実施形態では、第１の時間（Ｔ１），第３の時間（Ｔ３）の間の冷却部３３の冷却レベルを区別していないが、第３の時間（Ｔ３）の間の冷却部３３の冷却レベルを第１の時間（Ｔ１）の間より高くしてもよい。冷却部３３として冷却ファンを用いる場合は、第３の時間（Ｔ３）の間の冷却ファンの回転速度を第１の時間（Ｔ１）の間より高くしてもよい。
【００６５】
（変形例２）
上記実施形態では、第３の時間（Ｔ３）を固定しているが、ユーザーのキー操作によって変えられるようにしてもよい。
つまり、冷却キー２２ｃを操作した後でファン３３が動作中に冷却キー２２ｃを操作すると、冷却ファン等の冷却部３３が停止し、停止してから第２の時間（Ｔ２）時間内に冷却キー２２ｃを操作することで冷却部３３が動作する。これを冷却部３３の停止後、第２の時間（Ｔ２）時間経過してスタンバイ状態になるまで繰り返し、冷却部３３が動作していた累積時間を新たな時間第３の時間（Ｔ３）として記憶し、次回以降のクールダウンに適用するようにしてもよい。
【００６６】
図５は、変形例２のオフ操作時のプロジェクター１の動作を説明するためのフローチャートであり、電源オン状態から、オフ操作がなされてスタンバイ状態に移行するまでの動作を示している。
図５に示すように、ステップＳ２０１では、制御部２０は、電源キー２２ａの操作がなされたか否かを判断する。そして、電源キー２２ａが操作されていない場合には本ステップを繰り返し、電源キーが操作された場合にはステップＳ２０２に移行する。
【００６７】
電源キー２２ａが操作されてステップＳ２０２に移行すると、制御部２０は、光源制御部３０に指示をして、光源１１を消灯させるとともに冷却制御部３２に指示をして冷却部３３を動作させる。次に制御部２０は冷却ファン等の冷却部３３の動作時間Ｔ３ａを０にし、ステップＳ２０３に移行する。
【００６８】
ステップＳ２０３では、制御部２０は、タイマー２０ａによる計時を開始する。
【００６９】
ステップＳ２０４では、制御部２０は、タイマー２０ａによる計時時間が第１の時間（Ｔ１）を経過したか否かを判断する。そして、タイマー２０ａが第１の時間（Ｔ１）を経過している場合はステップ２０７に移行し、タイマー２０ａが第１の時間（Ｔ１）を経過していない場合にはステップＳ２０５に移行する。
【００７０】
ステップＳ２０５では、制御部２０は、タイマー２０ａによる計時時間が第２の時間（Ｔ２）を経過したか否かを判断する。そして、タイマー２０ａが第２の時間（Ｔ２）を経過している場合はステップＳ２０４に移行し、タイマー２０ａが第２の時間（Ｔ２）を経過していない場合にはステップＳ２０６に移行する。
【００７１】
ステップＳ２０６では、制御部２０は、冷却キー２２ｃの操作がなされたか否かを判断する。そして、冷却キー２２ｃ（冷却停止）が操作されていない場合にはステップＳ２０４に移行し、冷却キー２２ｃ（冷却停止）が操作された場合にはステップＳ２１０に移行する。
【００７２】
ステップＳ２０７では、制御部２０は、冷却制御部３２に指示をして冷却部３３の動作を停止させた後、ステップＳ２０８に移行する。
【００７３】
ステップＳ２０８では、制御部２０は、タイマー２０ａによる計時時間が第２の時間（Ｔ２）を経過したか否かを判断する。そして、タイマー２０ａが第２の時間（Ｔ２）を経過している場合はステップＳ２１４に移行し、第２の時間（Ｔ２）を経過していない場合にはステップＳ２０９に移行する。
【００７４】
ステップＳ２０９では、制御部２０は、冷却キー２２ｃの操作がなされたか否かを判断する。そして、冷却キー２２ｃ（冷却停止）が操作されていない場合にはステップＳ２０８に移行し、冷却キー２２ｃ（冷却停止）が操作された場合にはステップＳ２１０に移行する。
【００７５】
ステップＳ２１０では、制御部２０は、タイマー２０ａによる計時時間をリセットした後タイマー２０ａを再スタートさせるとともに、冷却制御部３２に指示して冷却部３３を動作させ、ステップＳ２１１に移行する。
【００７６】
ステップＳ２１１では、制御部２０は、タイマー２０ａによる計時時間が第３の時間（Ｔ３）を経過したか否かを判断する。そして、タイマー２０ａが第３の時間（Ｔ３）を経過していない場合はステップＳ２１２に移行し、タイマー２０ａが第３の時間（Ｔ３）を経過している場合にはステップＳ２１３に移行する。
【００７７】
ステップＳ２１２では、制御部２０は、冷却キー２２ｃの操作がなされたか否かを判断する。そして、冷却キー２２ｃ（冷却停止）が操作されていない場合にはステップ２１１に移行し、冷却キー２２ｃ（冷却停止）が操作された場合にはステップＳ２１３に移行する。
【００７８】
ステップＳ２１３では、制御部２０は、冷却制御部３２に指示をして冷却部３３の動作を停止させる。次に制御部２０は、タイマー２０ａの計時時間を前記動作時間Ｔ３ａに加算した後、タイマー２０ａによる計時時間をリセットした後タイマー２０ａを再スタートさせ、ステップＳ２０８に移行する。
【００７９】
ステップＳ２１４では、制御部２０は、前記動作時間Ｔ３ａの時間を新たな第３の時間（Ｔ３）として保存し、ステップＳ２１５に移行する。
【００８０】
ステップＳ２１５では、制御部２０は、ＬＥＤ報知部２３をオレンジ色で点灯させる等、他の必要な終了処理（図示せず）を行った後、電源部２９に指示をして動作電力の供給を停止させることにより、プロジェクター１をスタンバイ状態に移行させて、フローを終了する。
【００８１】
以上説明したように、本実施形態のプロジェクター１によれば、以下の効果を得ることができる。
【００８２】
本実施形態（変形例２）のプロジェクター１によれば、電源キー２２ａの操作を受け付けた場合、通常は光源１１を消灯させた後、冷却ファン等の冷却部３３を第１の時間（Ｔ１）動作させてスタンバイ状態に移行させるが、電源キー２２ａの操作を受け付けた後、第２の時間（Ｔ２）が経過するまでの間に冷却キー２２ｃの操作を受け付けた場合に、冷却部３３を所定の第３の時間（Ｔ３）動作させた後でスタンバイ状態に移行させることが可能になる。さらにスタンバイ状態に移行するまでの間に冷却キー２２ｃを操作することで、第３の時間（Ｔ３）の長さを変更することができるので、ユーザーの都合や状況等に応じて冷却時間を変更することが可能となり、利便性が向上する。
【００８３】
（変形例３）
上記実施形態では、冷却を終了するタイミングを第３の時間（Ｔ３）によって決定しているが、プロジェクター１の内部温度がある程度低下した時点で終了するようにしてもよい。つまり、冷却キー２２ｃを操作した後、冷却ファン等の冷却部３３の動作によるプロジェクター１内部の冷却中に内部検出温度があらかじめ決められた温度より低くなった場合に冷却部３３の動作を停止し、スタンバイ状態に移行するようにしてもよい。
【００８４】
（変形例４）
上記実施形態では、冷却を終了する温度をあらかじめ固定しているが、冷却中に冷却部３３を停止した時点での温度を冷却終了温度としてもよい。つまり、冷却キー２２ｃを操作した後、冷却ファン等の冷却部３３の動作によるプロジェクター１内部の冷却中に再度冷却キー２２ｃを操作した場合、その時点での温度検出部３１の検出温度を新たな冷却終了温度として記憶し、次回以降のクールダウンに適用するようにしてもよい。
【００８５】
図６は、変形例４のオフ操作時のプロジェクター１の動作を説明するためのフローチャートであり、電源オン状態から、オフ操作がなされてスタンバイ状態に移行するまでの動作を示している。
図６に示すように、ステップＳ３０１では、制御部２０は、電源キー２２ａの操作がなされたか否かを判断する。そして、電源キー２２ａが操作されていない場合には本ステップを繰り返し、電源キーが操作された場合にはステップＳ３０２に移行する。
【００８６】
電源キー２２ａが操作されてステップＳ３０２に移行すると、制御部２０は、光源制御部３０に指示をして、光源１１を消灯させるとともに冷却制御部３２に指示をして冷却部３３を動作させる。次に制御部２０は冷却部３３の動作時間Ｔ３ａを０にし、ステップＳ３０３に移行する。
【００８７】
ステップＳ３０３では、制御部２０は、タイマー２０ａによる計時を開始する。
【００８８】
ステップＳ３０４では、制御部２０は、タイマー２０ａによる計時時間が第１の時間（Ｔ１）を経過したか否かを判断する。そして、タイマー２０ａが第１の時間（Ｔ１）を経過している場合はステップ３０７に移行し、タイマー２０ａが第１の時間（Ｔ１）を経過していない場合にはステップＳ３０５に移行する。
【００８９】
ステップＳ３０５では、制御部２０は、タイマー２０ａによる計時時間が第２の時間（Ｔ２）を経過したか否かを判断する。そして、タイマー２０ａが第２の時間（Ｔ２）を経過している場合はステップＳ３０４に移行し、タイマー２０ａが第２の時間（Ｔ２）を経過していない場合にはステップＳ３０６に移行する。
【００９０】
ステップＳ３０６では、制御部２０は、冷却キー２２ｃの操作がなされたか否かを判断する。そして、冷却キー２２ｃ（冷却停止）が操作されていない場合にはステップＳ３０４に移行し、冷却キー２２ｃ（冷却停止）が操作された場合にはステップＳ３１０に移行する。
【００９１】
ステップＳ３０７では、制御部２０は、冷却制御部３２に指示をして冷却部３３の動作を停止させた後、ステップＳ３０８に移行する。
【００９２】
ステップＳ３０８では、制御部２０は、タイマー２０ａによる計時時間が第２の時間（Ｔ２）を経過したか否かを判断する。そして、タイマー２０ａが第２の時間（Ｔ２）を経過している場合はステップＳ３１６に移行し、第２の時間（Ｔ２）を経過していない場合にはステップＳ３０９に移行する。
【００９３】
ステップＳ３０９では、制御部２０は、冷却キー２２ｃの操作がなされたか否かを判断する。そして、冷却キー２２ｃ（冷却停止）が操作されていない場合にはステップＳ３０８に移行し、冷却キー２２ｃ（冷却停止）が操作された場合にはステップＳ３１０に移行する。
【００９４】
ステップＳ３１０では、制御部２０は、タイマー２０ａによる計時時間をリセットした後タイマー２０ａを再スタートさせるとともに、冷却制御部３２に指示して冷却部３３を動作させ、ステップＳ３１１に移行する。
【００９５】
ステップＳ３１１では、制御部２０は、タイマー２０ａによる計時時間が第３の時間（Ｔ３）を経過したか否かを判断する。そして、タイマー２０ａが第３の時間（Ｔ３）を経過していない場合はステップＳ３１２に移行し、タイマー２０ａが第３の時間（Ｔ３）を経過している場合にはステップＳ３１５に移行する。
【００９６】
ステップＳ３１２では、温度検出部３１の検出温度が記憶部２１に保存された冷却終了温度より低くなったか否かを判断する。そして、検出温度が記憶部２１に保存された冷却終了温度より低くなった場合にはステップ３１５に移行し、低くない場合はステップＳ３１３に移行する。
【００９７】
ステップＳ３１３では、制御部２０は、冷却キー２２ｃの操作がなされたか否かを判断する。そして、冷却キー２２ｃ（冷却停止）が操作されていない場合にはステップＳ３１１に移行し、冷却キー２２ｃ（冷却停止）が操作された場合にはステップＳ３１４に移行する。
【００９８】
ステップＳ３１４では、次に制御部２０は、温度検出部３１の検出温度を新たな冷却終了温度として記憶部２１に保存した後、ステップＳ３１５に移行する。
【００９９】
ステップＳ３１５では、制御部２０は、冷却制御部３２に指示をして冷却部３３の動作を停止させた後、ステップＳ３１６に移行する。
【０１００】
ステップＳ３１６では、制御部２０は、ＬＥＤ報知部２３をオレンジ色で点灯させる等、他の必要な終了処理（図示せず）を行った後、電源部２９に指示をして動作電力の供給を停止させることにより、プロジェクター１をスタンバイ状態に移行させて、フローを終了する。
【０１０１】
以上説明したように、本実施形態のプロジェクター１によれば、以下の効果を得ることができる。
【０１０２】
本実施形態（変形例４）のプロジェクター１によれば、電源キー２２ａの操作を受け付けた場合、通常は光源１１を消灯させた後、冷却部３３を第１の時間（Ｔ１）動作させてスタンバイ状態に移行させるが、電源キー２２ａの操作を受け付けた後、第２の時間（Ｔ２）が経過するまでの間に冷却キー２２ｃの操作を受け付けた場合に、冷却部３３を所定の第３の時間（Ｔ３）動作させるか、内部の温度が所定値より低くなった時点で冷却部３３を停止させた後でスタンバイ状態に移行させることが可能になる。さらにスタンバイ状態に移行するまでの間に冷却キー２２ｃを操作することで、冷却を終了させる温度を変更することができるので、ユーザーの都合や状況等に応じて冷却時間を変更することが可能となり、利便性が向上する。
【０１０３】
なお、上述した上記実施形態では、光源からの光を光変調部である液晶ライトバルブ１２Ｒ，Ｇ，Ｂによって変調し投写する液晶ライトバルブ方式のプロジェクターを例示したが、本発明はその他の方式を採用するプロジェクターにも適用することもできる。具体的には、ＤＭＤ（Digital Micro mirror Device）を用いた投写方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投影する方式であり、本発明はこのような方式のプロジェクターにも適用することができる。
【符号の説明】
【０１０４】
１…プロジェクター、２…筐体、２ｂ…底面、２ｆ…前面、２ｒ…背面、２ｓ…右側面、２ｔ…上面、３ａ…吸気口、３ｂ…排気口、１０…画像投写部、１１…光源、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２０ａ…タイマー、２１…記憶部、２２…入力操作部、２２ａ…電源キー、２２ｂ…入力切替キー、２２ｃ…冷却キー、２３…ＬＥＤ報知部、２４…画像情報入力部、２４ａ…入力端子、２５…入力選択部、２６…画像処理部、２７…ＯＳＤ処理部、２８…電源端子、２９…電源部、３０…光源制御部、３１…温度検出部、３２…冷却制御部、３３…冷却部、Ｓ…投写面。
【図１】
2011145502.tif 000003
【図２】
2011145502.tif 000004
【図３】
2011145502.tif 000005
【図４】
2011145502.tif 000006
【図５】
2011145502.tif 000007
【図６】
2011145502.tif 000008